(57)【特許請求の範囲】
【請求項１】
輪状に形成したアンカー鉄筋（５）の周囲を縦筒状のアンカー鉄筋囲い枠（６）で囲って両者を連結金具（１７）で一体的に固定し、網状の表面被覆材（１）で被覆した法面（Ｎ）にアンカー（３）止めした法枠鉄筋（２）の任意の間隔位置又は任意の縦横交差位置の上側に前記アンカー鉄筋（５）を結束固定してその周囲を前記アンカー鉄筋囲い枠（６）で囲い、前記アンカー鉄筋囲い枠（６）の中央縦に法枠（４）上面（４ａ）から上端部（７ａ）が突出状態になるように樹脂パイプ（７）を法面（Ｎ）に突き立てて前記アンカー鉄筋（５）又は法枠鉄筋（２）に固定し、また前記法枠鉄筋（２）の側面は法枠鉄筋囲い枠（１３）で囲い、前記法枠鉄筋囲い枠（１３）とアンカー鉄筋囲い枠（６）内にコンクリート（Ｋ）を打設して法枠（４）を形成し、その法枠（４）の上面（４ａ）に突出した樹脂パイプ（７）の上端部（７ａ）部分を切除し、その樹脂パイプ（７）の空洞（Ｓ）内に接着剤注入路（９）付き長尺永久アンカー（８）を頭出し状態にして法面（Ｎ）に深く打ち込み、その永久アンカー（８）の頭部（８ａ）に設けたネジ部（８ｂ）に圧受け金属板（１０）を介してナット（１１）を締め付け、前記接着剤注入路（９）に浸透性接着剤（１２）を前記樹脂パイプ（７）の空洞（Ｓ）内にまで注入充填して成る永久アンカー付き法枠構造。
【請求項２】
圧受け金属板（１０）、ナット（１１）及び永久アンカーの頭部（８ａ）に防錆処理して成る請求項１記載の永久アンカー付き法枠構造。
【発明の詳細な説明】
【０００１】
【発明が属する技術分野】
本発明は、道路工事やダム工事などにおいて、削り取った傾斜面（法面）が雨水などにより崩壊し、またその表面からの落石などが発生するのを防止するために行う法枠の構造において、特に永久アンカーを取り付けた法枠の構造に関する。
【０００２】
【従来の技術】
従来、法面の崩壊を防止し保護するための各種コンクリート製の法枠構造が実施されている。
そして、特に崩壊しやすい場所や、急傾斜面においては、長くて強い鋼製の永久アンカーを法面内部の深くまでを打ち込んで施工されたコンクリート法枠が法面から離れるのを防止できるようにする構造が採られることがあり、この構造では、コンクリート法枠が前記永久アンカーの頭部から抜けて外れるのを防ぐために、厚さ５０ｃｍで横幅３〜５ｍ程度の大きく幅広なコンクリート製の支持板（アンカー工基礎台と呼ばれている）を工場などで作って、現場に運搬し、コンクリート法枠に打ち込まれた永久アンカーの頭部に固定する方法が行われている。
【０００３】
そして、その支持板は、約３００〜５００Ｋｇ程と極めて重く、作業員の人力では所定の位置にまで移動させることができない。このためにクレーン車などの重機により施工する場所に運んで吊ったままの状態で作業員により所定位置に移動して永久アンカーの頭部に設置固定されている。
この方法では、その支持板があまり重いために現場作業は大変に困難であり、また施工する現場の状態によっては、クレーン車などの吊り下げ運搬重機が入れないところもあり、そのような場所の施工はできない場合があった。
このような構造では、作業の困難性と重機の使用などにより、工事費用が大きくならざるを得なかった。
【０００４】
また、そのような作業性の悪さを改善するために、大重量の支持板に替えて比較的軽い鋼製などから成る支圧板を永久アンカーの頭部に固定する方法（特開平６−１０１２３５号）が提案された。
しかし、その支圧板は法面に対して直に密接状態とした構造であるために、前記永久アンカーの頭部からその支圧板が抜け落ちることなく法面を抑えることはできるが、コンクリート法枠そのもの全体を永久アンカーで抑える働きが弱く、構造的に永久アンカーの支持力がコンクリート法枠に対して充分に生かされているものとはなっていなかった。
【０００５】
【発明が解決しようとする課題】
本発明は、上記実情に鑑みてなされたもので、法面に処置する法枠において、重量物を吊り下げ運搬する重機などの使用をせずコンクリート現場打ちと同時的に容易に施工でき、且つ永久アンカーの頭部でコンクリート法枠の上から強力に押さえ込み、法面に対してコンクリート法枠全体が浮くことなく保持固定可能な法枠の構造を提供するものである。
【０００６】
【課題を解決するための手段】
上記課題を解決するために、本発明の永久アンカー付き法枠構造は、輪状に形成したアンカー鉄筋５の周囲を縦筒状のアンカー鉄筋囲い枠６で囲って両者を連結金具１７で一体的に固定し、網状の表面被覆材１で被覆した法面Ｎにアンカー３止めした法枠鉄筋２の任意の間隔位置又は任意の縦横交差位置の上側に前記アンカー鉄筋５を結束固定してその周囲を前記アンカー鉄筋囲い枠６で囲う。
そして、前記アンカー鉄筋囲い枠６の中央縦に法枠４上面４ａから上端部７ａが突出状態になるように樹脂パイプ７を法面Ｎに突き立てて前記アンカー鉄筋５又は法枠鉄筋２に固定する。
また前記法枠鉄筋２の側面は法枠鉄筋囲い枠１３で囲う。
【０００７】
そして、前記法枠鉄筋囲い枠１３とアンカー鉄筋囲い枠６内にコンクリートＫを打設して法枠４を形成し、その法枠４の上面４ａに突出した樹脂パイプ７の上端部７ａ部分を切除しする。
そして、その樹脂パイプ７の空洞Ｓ内に接着剤注入路９付き長尺永久アンカー８を頭出し状態にして法面Ｎに深く打ち込み、その永久アンカー８の頭部８ａに設けたネジ部８ｂに圧受け金属板１０を介してナット１１を締め付ける。
そして、前記接着剤注入路９に浸透性接着剤１２を前記樹脂パイプ７の空洞Ｓ内にまで注入充填して成る永久アンカー付き法枠構造である。
【０００８】
また、上記構成において、前記圧受け金属板１０、ナット１１及び永久アンカーの頭部８ａに防錆処理して成るものである。
【０００９】
【発明の実施の形態】
本発明の永久アンカー付き法枠構造の形態を図の実施例に基づいて以下説明する。
【００１０】
本発明は、図４に示すように、輪状に形成したアンカー鉄筋５の周囲を樹脂板製の縦筒状のアンカー鉄筋囲い枠６で囲って両者を連結金具１７で一体的に固定する。これは工場で事前に製作して現場に持ち込むと良い。
【００１１】
前記アンカー鉄筋囲い枠６の材質は、金網製、樹脂製、木製、紙製などが使用可能で、そのアンカー鉄筋５の形状は、真円形（図４の（イ）に示す）や四角形（図４の（ロ）に示す）に形成した輪状のものが使用できる。またその形に合わせて、図４に示すように、円筒形や方形の筒形のアンカー鉄筋囲い枠６が使用される。そのアンカー鉄筋囲い枠６は現場の使用方法に合わせて、図５に示すように、２段重ねにしたり、法枠鉄筋２を跨ぐように切り抜いて跨ぎ口１４を設けたりして使用することができる。
【００１２】
そして、施工現場において、図１及び図２に示すように、網状の表面被覆材１で被覆した法面Ｎに長い主アンカー３ａと短い補助アンカー３ｂで、その網上で法枠４条に沿うように固定した法枠鉄筋２を縦方向と横方向に格子組に敷設する。
そして、敷設した法枠鉄筋２の任意の縦横交差位置の上側に前記アンカー鉄筋５を、図６に示すように、各鉄筋交差部分を針金などで結束固定して、図５に示すように、その周囲を前記アンカー鉄筋囲い枠６で囲う。
【００１３】
前記円形輪状、長方形輪状などのアンカー鉄筋５は、法枠鉄筋２を上から抑えることによって、確実にコンクリートＫの法枠４に対してアンカーとなって広範囲な法枠４全体が法面Ｎに対する浮き防止効果を得ることができる。
【００１４】
そして、図５に示すように、前記アンカー鉄筋囲い枠６の中央縦に法枠４上面から上端部が突出状態になるように樹脂パイプ７を法面Ｎに突き立てて前記アンカー鉄筋５又は法枠鉄筋２に固定する。
またアンカー鉄筋囲い枠６で囲われている以外の前記法枠鉄筋２の側面は法枠鉄筋囲い枠１３で囲う。
【００１５】
そして、前記法枠鉄筋囲い枠１３とアンカー鉄筋囲い枠６内にコンクリートＫを吹き付け又は流し込みにより打設して法枠４を形成する。このコンクリートＫが固化したら、その法枠４の上面４ａに突出しいる樹脂パイプ７の上端部７ａ部分はカッターなどで切除する。
そして、図６に示すように、その樹脂パイプ７の空洞Ｓ内に接着剤注入路９付き長尺永久アンカー８を頭出し状態にして法面Ｎに深く打ち込み、その永久アンカー８の頭部８ａに設けたネジ部８ｂに法枠４上面４ａに密接する圧受け金属板１０を介してナット１１を螺着締め付ける。
【００１６】
そして、図３に示すように、前記接着剤注入路９に浸透性接着剤１２を前記永久アンカー６と固化コンクリートＫとの隙間から法枠４上面４ａに溢れ出し、前記樹脂パイプ７の空洞Ｓ内にまで注入充填させる。
【００１７】
また、前記圧受け金属板１０、ナット１１及び永久アンカーの頭部８ａには寿命を長く保つために防錆処理する。
防錆処理の方法としては、図６に示すように、雨水に曝されないように固定キャップ１２を被せる方法や、防錆材を塗布する方法などが可能である。
【００１８】
なお、上記構成のうち、図では縦横格子状に形成する法枠４の形態を示しているが、縦格子状のみで形成した法枠４の形態では、間隔置きに任意に選んだ法枠４部位にアンカー鉄筋囲い枠６付きのアンカー鉄筋５を固定しても良い。
【００１９】
【発明の作用並びに効果】
本発明は以上のようであり、永久アンカー８とコンクリートＫとの隙間には接着剤注入路９から注入された浸透性接着剤１２により永久アンカー８が法面４に強固に付着固定されているので抜ける虞がなく、且つ、法枠４が法面Ｎから浮き上がろうとすると、永久アンカー８の頭部８ａに固定された圧受け金属板１０がナット１１でアンカー鉄筋囲い枠６部分を上からその法枠４上面4ａに掛かってくる圧力を受け止める。
そして、その永久アンカー８周囲の法枠４部分は、コンクリートＫに埋設状態でその内部のアンカー鉄筋５が法枠鉄筋２を押さえ付けていて、前記永久アンカー８が抜けない限り、法枠４が法面Ｎから浮き上がることはない。
【００２０】
また、施工においては、これまでのような重量物を吊り下げ運搬する重機などを使用することなく、作業員がアンカー鉄筋囲い枠６付きのアンカー鉄筋５などの必要な現場資材を施工場所まで自力で搬入することが容易にできるので、重機の入らない急傾斜地などでも極めて容易に施工できるようになった。
また、コンクリートＫの打設と同時的にアンカー部分の施工もできるので、トータルコストの削減と施工期間の短縮にも大きく役立つことが可能となった。
【図面の簡単な説明】
【図１】本発明の縦断面を示す斜視図。
【図２】本発明の縦断側面図。
【図３】アンカー鉄筋囲い枠内の構造を示す要部の縦断側面図。
【図４】アンカー鉄筋囲い枠の斜視図。
【図５】法枠鉄筋囲い枠の設置状態と、アンカー鉄筋囲い枠を設置したコンクリート打設前の状態を示す斜視図。
【図６】永久アンカーの頭部部分の設置状態と法枠鉄筋部とアンカー鉄筋の結束固定状態を示す要部の透視的斜視図。
【符号の説明】
１    表面被覆材
２    法枠鉄筋
３    アンカー
３ａ  主アンカー
３ｂ  補助アンカー
４    法枠
４ａ  法枠の上面
５    アンカー鉄筋
６    アンカー鉄筋囲い枠
７    樹脂パイプ
７ａ  樹脂パイプの上端部
８    永久アンカー
８ａ  永久アンカーの頭部
８ｂ  永久アンカーのネジ部
９    接着剤注入路
１０    圧受け金属板
１１    ナット
１２    浸透性接着剤
１３    法枠鉄筋囲い枠
１４    固定キャップ
１５    アンカー打込み穴
１６    法枠鉄筋跨ぎ口
１７    連結金具
Ｓ    樹脂パイプの空洞
Ｎ    法面
Ｋ    コンクリート
【図１】
0003701211.tif 000002
【図２】
0003701211.tif 000003
【図３】
0003701211.tif 000004
【図４】
0003701211.tif 000005
【図５】
0003701211.tif 000006
【図６】
0003701211.tif 000007